【手続補正書】
【提出日】平成18年8月23日(2006.8.23)
【手続補正１】
【補正対象書類名】明細書
【補正対象項目名】発明の名称
【補正方法】変更
【補正の内容】
【発明の名称】画像形成装置及び画像形成方法
【手続補正２】
【補正対象書類名】明細書
【補正対象項目名】特許請求の範囲
【補正方法】変更
【補正の内容】
【特許請求の範囲】
【請求項１】
原稿画像の読み取りを行う原稿読み取り手段と、原稿の読み取り動作に伴い原稿サイズの検出を行う原稿サイズ検出手段と、読み取った原稿画像データを蓄積する手段と、用紙サイズを指定する手段と、設定変倍率を決定する用紙指定変倍率設定手段と、蓄積された原稿画像データに基づいて設定変倍率の画像を指定サイズの用紙に形成する手段を有する画像形成装置であって、
前記用紙指定変倍率設定手段は、検出された原稿サイズと指定された用紙サイズから原稿画像に対する最適変倍率を算出し、算出した最適変倍率が画像形成手段が能力として持つ変倍範囲を越える場合に、該変倍範囲で制限した変倍率を設定条件として決定するようにしたことを特徴とする画像形成装置。
【請求項２】
原稿画像の読み取りを行う原稿読み取り手段と、原稿の読み取り動作に伴い原稿サイズの検出を行う原稿サイズ検出手段と、読み取った原稿画像データを蓄積する手段と、設定変倍率を決定する用紙指定変倍率設定手段と、蓄積された原稿画像データに基づいて設定変倍率の画像を指定サイズの用紙に形成する手段を有する画像形成装置であって、
前記用紙指定変倍率設定手段は、検出された原稿サイズと指定された用紙サイズから原稿画像に対する最適変倍率を算出し、算出した最適変倍率が画像形成手段が能力として持つ変倍範囲を越える場合に、前記用紙サイズ指定手段は用紙サイズの変更を行い、該用紙指定変倍率設定手段は、変更された用紙サイズから最適変倍率を算出し直し、算出された変倍率を設定条件として決定するようにしたことを特徴とする画像形成装置。
【請求項３】
請求項１又は２に記載された画像形成装置において、算出した最適変倍率が画像形成手段が能力として持つ変倍範囲を越える場合に、その旨を表示する障子手段と、前記用紙指定変倍率設定手段により設定した画像形成条件による画像形成を実行するか、中止するかを外部からの操作により選択する手段を備えたことを特徴とする画像形成装置。
【請求項４】
請求項３に記載された画像形成装置において、画像形成の中止が選択されても、原稿の読み取り及び読み取った原稿画像データの蓄積に対する中断の指示を行わないようにしたことを特徴とする画像形成装置。
【請求項５】
原稿画像の読み取る工程と、原稿の読み取り動作に伴い原稿サイズの検出を行う工程と、読み取った原稿画像データを蓄積する工程と、用紙サイズを指定する工程と、設定変倍率を決定する用紙指定変倍率を設定する工程と、蓄積された原稿画像データに基づいて設定変倍率の画像を指定サイズの用紙に形成する工程とを有する画像形成方法であって、
前記用紙指定変倍率を設定する工程は、検出された原稿サイズと指定された用紙サイズから原稿画像に対する最適変倍率を算出する工程、算出した最適変倍率が画像形成手段が能力として持つ変倍範囲を越える場合に、該変倍範囲で制限した変倍率を設定条件として決定する工程を有することを特徴とする画像形成方法。
【請求項６】
原稿画像の読み取る工程と、原稿の読み取り動作に伴い原稿サイズの検出を行う工程と、読み取った原稿画像データを蓄積する工程と、設定変倍率を決定する用紙指定変倍率を設定する工程と、蓄積された原稿画像データに基づいて設定変倍率の画像を指定サイズの用紙に形成する工程を有する画像形成方法であって、
前記用紙指定変倍率の設定工程は、検出された原稿サイズと指定された用紙サイズから原稿画像に対する最適変倍率を算出する工程と、算出した最適変倍率が画像形成手段が能力として持つ変倍範囲を越える場合に、前記用紙サイズ指定手段は用紙サイズの変更を行う工程と、変更された用紙サイズから最適変倍率を算出し直し、算出された変倍率を設定条件として決定する工程を有することを特徴とする画像形成方法。
【手続補正３】
【補正対象書類名】明細書
【補正対象項目名】０００１
【補正方法】変更
【補正の内容】
【０００１】
【発明の属する技術分野】
本発明は、読み取った原稿画像に電気的に変倍処理を行い、得た画像データに基づいて紙媒体へ画像形成を行う画像形成装置（例えば、複写機、ファクシミリ装置等）に関し、より詳細には、シートスルー方式で原稿画像を読み取る動作とともに検出した原稿サイズと指示された用紙サイズから算出した変倍率によってユーザーの意向に沿う最適な変倍率の画像を形成することが可能な前記画像形成装置及び画像形成方法に関する。
【手続補正４】
【補正対象書類名】明細書
【補正対象項目名】０００５
【補正方法】変更
【補正の内容】
【０００５】
【課題を解決するための手段】
請求項１の発明は、原稿画像の読み取りを行う原稿読み取り手段と、原稿の読み取り動作に伴い原稿サイズの検出を行う原稿サイズ検出手段と、読み取った原稿画像データを蓄積する手段と、用紙サイズを指定する手段と、設定変倍率を決定する用紙指定変倍率設定手段と、蓄積された原稿画像データに基づいて設定変倍率の画像を指定サイズの用紙に形成する手段を有する画像形成装置であって、前記用紙指定変倍率設定手段は、検出された原稿サイズと指定された用紙サイズから原稿画像に対する最適変倍率を算出し、算出した最適変倍率が画像形成手段が能力として持つ変倍範囲を越える場合に、該変倍範囲で制限した変倍率を設定条件として決定するようにしたことを特徴とする画像形成装置である。
【手続補正５】
【補正対象書類名】明細書
【補正対象項目名】０００６
【補正方法】変更
【補正の内容】
【０００６】
請求項２の発明は、原稿画像の読み取りを行う原稿読み取り手段と、原稿の読み取り動作に伴い原稿サイズの検出を行う原稿サイズ検出手段と、読み取った原稿画像データを蓄積する手段と、設定変倍率を決定する用紙指定変倍率設定手段と、蓄積された原稿画像データに基づいて設定変倍率の画像を指定サイズの用紙に形成する手段を有する画像形成装置であって、前記用紙指定変倍率設定手段は、検出された原稿サイズと指定された用紙サイズから原稿画像に対する最適変倍率を算出し、算出した最適変倍率が画像形成手段が能力として持つ変倍範囲を越える場合に、前記用紙サイズ指定手段は用紙サイズの変更を行い、該用紙指定変倍率設定手段は、変更された用紙サイズから最適変倍率を算出し直し、算出された変倍率を設定条件として決定するようにしたことを特徴とする画像形成装置である。
【手続補正６】
【補正対象書類名】明細書
【補正対象項目名】０００７
【補正方法】変更
【補正の内容】
【０００７】
請求項３の発明は、請求項１又は２に記載された画像形成装置において、算出した最適変倍率が画像形成手段が能力として持つ変倍範囲を越える場合に、その旨を表示する障子手段と、前記用紙指定変倍率設定手段により設定した画像形成条件による画像形成を実行するか、中止するかを外部からの操作により選択する手段を備えたことを特徴とするものである。
【手続補正７】
【補正対象書類名】明細書
【補正対象項目名】０００８
【補正方法】変更
【補正の内容】
【０００８】
請求項４の発明は、請求項３に記載された画像形成装置において、画像形成の中止が選択されても、原稿の読み取り及び読み取った原稿画像データの蓄積に対する中断の指示を行わないようにしたことを特徴とするものである。
請求項５の発明は、原稿画像の読み取る工程と、原稿の読み取り動作に伴い原稿サイズの検出を行う工程と、読み取った原稿画像データを蓄積する工程と、用紙サイズを指定する工程と、設定変倍率を決定する用紙指定変倍率を設定する工程と、蓄積された原稿画像データに基づいて設定変倍率の画像を指定サイズの用紙に形成する工程とを有する画像形成方法であって、前記用紙指定変倍率を設定する工程は、検出された原稿サイズと指定された用紙サイズから原稿画像に対する最適変倍率を算出する工程、算出した最適変倍率が画像形成手段が能力として持つ変倍範囲を越える場合に、該変倍範囲で制限した変倍率を設定条件として決定する工程を有することを特徴とするものである。
請求項６の発明は、原稿画像の読み取る工程と、原稿の読み取り動作に伴い原稿サイズの検出を行う工程と、読み取った原稿画像データを蓄積する工程と、設定変倍率を決定する用紙指定変倍率を設定する工程と、蓄積された原稿画像データに基づいて設定変倍率の画像を指定サイズの用紙に形成する工程を有する画像形成方法であって、前記用紙指定変倍率の設定工程は、検出された原稿サイズと指定された用紙サイズから原稿画像に対する最適変倍率を算出する工程と、算出した最適変倍率が画像形成手段が能力として持つ変倍範囲を越える場合に、前記用紙サイズ指定手段は用紙サイズの変更を行う工程と、変更された用紙サイズから最適変倍率を算出し直し、算出された変倍率を設定条件として決定する工程を有することを特徴とするものである。
【手続補正８】
【補正対象書類名】明細書
【補正対象項目名】００３５
【補正方法】変更
【補正の内容】
【００３５】
【発明の効果】
（１）  請求項１、５の発明に対応する効果
原稿読み取り動作に伴い検出された原稿サイズと指定された用紙サイズから原稿に対する用紙の最適変倍率を算出し、算出した最適値で用紙指定変倍の印刷を行うことを可能とするとともに、算出した最適値が、装置が能力として持つ変倍範囲を越えていても、変倍範囲で制限した値（上、下限値）を変倍率の設定値として決定するようにしたので、再読み取りをせずに画像に欠けのない適正な画像形成を行うことができる。
（２）  請求項２、６の発明に対応する効果
原稿読み取り動作に伴い検出された原稿サイズと指定された用紙サイズから原稿に対する用紙の最適変倍率を算出し、算出した最適値で用紙指定変倍の印刷を行うことを可能とするとともに、算出した最適値が、装置が能力として持つ変倍範囲を越えている場合、用紙サイズの指定変更を受け入れ、変更された用紙サイズから最適変倍率を算出し直し、算出された変倍率を設定条件として決定することができるようにしたので、再読み取りをせずに画像に欠けのない適正な画像形
成を行うことができる。
（３）  請求項３の発明に対応する効果
上記（１）、（２）の効果に加えて、変倍範囲で制限した値（上、下限値）を変倍率の設定値として決定した場合、或いは用紙サイズの指定変更により最適変倍率を算出し直し、算出された変倍率を設定条件として決定した場合に、決定した画像形成条件による画像形成を実行するか、中止するかを外部からの操作により選択するようにしたので、ユーザーの意図しない画像形成動作が行われるのを防ぐことができる。
（４）  請求項４の発明に対応する効果
上記（３）の効果に加えて、読み取り画像を蓄積するまでの処理までは完了させるようにするので、蓄積画像に対して設定を変更して画像形成動作を継続させる場合に、生産性を落とすことなく画像形成動作を行うことができる。